(57)【要約】      （修正有）【課題】釣り針や糸止めから糸が外れにくく、糸や針が絡みにくく、形状が簡単で安価である。【解決手段】適宜な長さの円筒に、糸止膜切込３を有する膜付糸止溝２と、針挿入溝４とを同じ位の長さで並行に持つ仕掛巻。糸止めは、糸止膜切込３でしっかり固定され、かつ始点と終点の２ヶ所で保持されるため非常に外れにくい。そして、終点がずれても始点に達するまでは２点保持が維持されるため糸止め効果が高い。また、円筒形であるため巻き易く、特に巻き戻し易い。巻き戻しが終わり、糸が戻りきった時も釣り針９が仕掛巻の中にあるので非常に扱い易い。そして、形状が極めて単純であるので量産が容易である。【選択図】図６
0003137830.tif 000002
【実用新案登録請求の範囲】
【請求項１】
適宜の長さの円筒に、円筒の中まで切り込んだ、釣り針を入れられる溝を有する仕掛巻。
【請求項２】
適宜の長さの円筒に、円筒の中まで切り込んだ、釣り糸を止めるための溝があり、その溝をテープ又は薄い樹脂膜等で覆いそれに細い切込みをつけた仕掛巻。
【請求項３】
適宜の長さの円筒に、請求項１の釣り針をいれられる溝と、請求項２の釣り糸を止めるため膜に切込を有する溝を並行に有する仕掛巻。
【請求項４】
請求項１，２，３をまとめたもので、適宜の長さの円筒に、円筒の中まで切り込んだ、請求項１の釣り針を入れられる溝に、テープ又は薄い樹脂膜等で覆いそれに細い切込みをつけた仕掛巻。
【考案の詳細な説明】
【技術分野】
【０００１】本考案は、魚釣りに使用する仕掛巻に関するものである。
【背景技術】
【０００２】従来の仕掛巻は、プラスチック等で長方形に作った物に仕掛けを巻いていたが、この方式では、糸に癖がついてしまったり、場所変え等の移動時の揺れで、釣り針が外れやすく、糸止めがしっかりしていないので糸が外れやすく、糸や針が絡み易かった。そして、針の先端が外に出ているので手を傷つけたりして危険であった。また、仕掛巻について、色々な物が考案されているが、しっかりした針の保持、外れにくい糸止めのものは形状が複雑で安価に量産することが難しかった。
【考案の開示】
【考案が解決しようとする課題】
【０００３】釣り糸に癖がつきにくくするとともに、車での走行時や釣り場所の移動時の揺れでも針を外れにくくし、また糸止めをしっかりとし糸を外れにくくするとともに、巻き付けや巻き戻しを容易にするものである。そして形状が単純であるため工業的に量産し易いものである
【課題を解決するための手段】
【０００４】請求項１の考案は、端部盛上げ部５と区分け盛上げ部６を有する円筒８に、円筒８の中空部７まで達している針挿入溝４をつけた仕掛巻である。針挿入溝４とは、図１，４，５，６とも溝の中心に円形の穴を図示しているが円形の穴は無くともよく、また、針挿入溝４にテープ又は薄い樹脂膜等を覆い細い切込を入れたものも同等の効果があり針挿入溝４に含まれる。この針挿入溝４に針を入れ、巻くために糸を引くので自動的に針は先端の尖った部分が中空部７に入り、針自体は下に引き下げられ針挿入溝４の下部に固定される。（図４）
この為、針の先端は外に出ておらず安全であり、針自体は針挿入溝４により３方から保持されているため非常に外れにくくなる。巻き戻す時は円筒形であるためころころと転がして巻き戻すことができ、糸が戻りきった時にも釣り針９は仕掛巻１の中に入っており非常に扱いやすく餌付け等の次の操作が楽になる。針をはずす時は針の軸を持ち上げるだけで容易にはずれる。【０００５】請求項２の考案は、端部盛上げ部５と区分け盛上げ部６を有する円筒８に、円筒８の中空部７まで達している糸止溝の外部にテープまたは樹脂等により薄い膜を被せ、その膜に細い切込をいれた（細い切込を糸止膜切込３といい、全体を膜付糸止溝２という）膜付糸止溝２を有する仕掛巻である。
釣り糸の終端部を糸止膜切込３に上から差し込むと糸が中空部７まで入り、始点と終点の２点で糸が保持される。糸止膜への切込みは切ってあるだけで極めて細いのでしっかりと糸が固定され、かつ、糸終端の終点がずれても終点が始点に達するまでは２点保持が保たれ、常時２点保持により非常に外れにくくなる。【０００６】請求項３は、針挿入溝４と同じ位の長さの膜付糸止溝２を並行に並べたもので、針を挿入した時、針の軸が膜付糸止溝２を邪魔せず、巻き終わって、糸終端を糸止膜切込３に差込む際、手の位置を変えないですみ、楽に糸止めができる位置である。【０００７】請求項４は、針挿入溝４と膜付糸止溝２を合わせたもので、膜付糸止溝２は無く、針挿入溝４にテープ又は薄い樹脂膜等で覆い、細い切込を入れたものである。比較的細い釣り針であれば、効果は、請求項１、２、の性能をもつ仕掛巻と変わらない。操作方法は上記と同じである。
【考案の効果】
【０００８】本考案により、針が３方向で保持されるため安定して留められ、針の尖った先端が外部に露出することなく安全で、糸終端の糸止めもしっかりと留まり、２点保持（多少ずれても２点保持を維持）にて安定して留めることができる。
そして、糸止めから糸をはずす時は、糸終端部１１を持ち引き上げるだけで誠に簡単にはずすことができる。また、円筒形であるため、釣り糸仕掛を巻き易く、特に巻き戻し易くなる。形状が非常に単純であり、工業化により量産することも容易である。
【考案を実施するための最良の形態】
【０００９】本考案に係る仕掛巻１は、図６に示す針挿入溝４と糸止膜切込３を有する膜付糸止溝２を並行したものである。この考案は、３点保持により針が外れにくいこと、針の尖った先端が表に出ないことの安全性、糸止めがしっかりとし、かつ２点が保持され非常に糸止め効果が高いこと、並行していることにより操作性が良いこと、円筒形であるため巻き上げ特に巻き戻しが容易で、戻しきった時に釣り針９が仕掛巻１の中にあり操作が非常に楽であること等の効果がある。
端部盛上げ部５と区分け盛上げ部６は、無くても支障はないが巻いている糸が何らかの原因でずれて外れることの防止と、針や糸を他の物に触れにくくする効果はある。仕掛巻１は、形状が非常に単純であり、工業化による量産は容易である。円筒部分の素材として成形が容易で腐りにくいプラスチックや樹脂が、膜の部分には耐候性テープや薄く塗れる樹脂が適していると考えられる。
【図面の簡単な説明】
【００１０】
【図１】本考案に係る仕掛巻の正面図
【図２】本考案に係る仕掛巻の右側面図（左側面図も同一）
【図３】本考案に係る仕掛巻の背面図
【図４】釣り針９を針挿入溝４に入れようとしている状態、及び挿入後釣り糸１０を引き仕掛巻１に巻き取ろうとしている状態の図
【図５】釣り糸１０を巻き取り、糸終端部１１を、膜付糸止溝２にある糸止膜切込３に入れようとしている図
【図６】仕掛巻１の針挿入溝４に釣り針９を留め、巻き取り、糸終端部１１を糸止膜切込３に入れ、巻き取りが完了した図。
【符号の説明】
【００１１】１は、仕掛巻
２は、糸止膜切込３を有する膜付糸止溝（中空部まで切り抜けている溝）
３は、糸止膜切込。（糸を止めるためにテープ又は薄い樹脂膜に細い切込を入れたもの）
４は、針挿入溝（中空部まで切り抜けている溝）
５は、端部盛上げ部
６は、区分け盛上げ部
７は、円筒形仕掛巻の、中空部
８は、円筒
９は、釣り針
１０は、釣り糸
１１は、釣り糸の糸終端部
【図１】
0003137830.tif 000003
【図２】
0003137830.tif 000004
【図３】
0003137830.tif 000005
【図４】
0003137830.tif 000006
【図５】
0003137830.tif 000007
【図６】
0003137830.tif 000008